(57)【特許請求の範囲】
【請求項１】
開口部が形成された筐体と、
前記開口部に対応する領域に配設された第１の光拡散部と、
前記第１の光拡散部に対して光を照射する光照射部と、
を有し、
前記光照射部は、前記筐体の幅方向に光を照射し、
前記第１の光拡散部は、前記筐体に形成された前記開口部側に向けて前記光照射部からの光を反射するために当該開口部に向けて傾斜する第１面と、前記筐体に形成された前記開口部側に向けて前記光照射部からの光を反射するために当該開口部に向けて傾斜する第２面と、を有して構成され、
前記第１面と前記第２面は、異なる角度で傾斜する
ことを特徴とする携帯電子機器。
【請求項２】
前記第１の光拡散部は、基準電位に電気的に接続される
ことを特徴とする請求項１に記載の携帯電子機器。
【請求項３】
前記光照射部と前記第１の光拡散部との間には、第２の光拡散部が配設される
ことを特徴とする請求項１または２に記載の携帯電子機器。
【発明の詳細な説明】
【技術分野】
【０００１】
本発明は、光を照射する光照射部を有する携帯電子機器に関する。
【背景技術】
【０００２】
筐体の少なくとも一部を発光させる発光構造を有する携帯電子機器が知られている。
発光構造を有する携帯電子機器は、特定の動作、例えば、音声発着信動作、メール送受信動作、折り畳み型携帯電子機器の場合の開閉動作等に発光構造が光を発するように構成されている。発光構造を有する携帯電子機器は、発光により、携帯電子機器の利用者に対して、例えば表示部の表示を見ずとも着信やメール受信等を報知することができる。
このような発光構造として、特許文献１に開示された筐体発光構造がある。
【０００３】
特許文献１には、表面に開口が設けられた筐体と、この筐体に覆われ、前記開口と対向する位置に配設された基板と、この基板に取り付けられた光源と、前記基板に取り付けられ、前記光源の近傍に配置された光源近傍部とこの光源近傍部よりも前記筐体内壁の近傍に前記開口と対応して設けられた開口近傍部とを有する導光板とを備える筐体発光構造が開示されている。
【０００４】
【特許文献１】特開２００７−６８００４号公報
【発明の開示】
【発明が解決しようとする課題】
【０００５】
しかし、特許文献１に開示された携帯端末では、光を外部に放射させるための開口部が筐体に形成されるので、筐体の強度が低下してしまう、という不利益があった。
【０００６】
本発明は、上述した不利益を解消するため、筐体の強度の低下を抑制しつつ、筐体の外部に光を放射することのできる携帯電子機器を提供することを目的とする。
【課題を解決するための手段】
【０００７】
上述した不利益を解消するために、第１の発明の携帯電子機器は、開口部が形成された筐体と、前記開口部に対応する領域に配設された第１の光拡散部と、前記第１の光拡散部に対して光を照射する光照射部と、を有し、前記光照射部は、前記筐体の幅方向に光を照射し、前記第１の光拡散部は、前記筐体に形成された前記開口部側に向けて前記光照射部からの光を反射するために当該開口部に向けて傾斜する第１面と、前記筐体に形成された前記開口部側に向けて前記光照射部からの光を反射するために当該開口部に向けて傾斜する第２面と、を有して構成され、前記第１面と前記第２面は、異なる角度で傾斜する。
【００１２】
好適には、前記第１の光拡散部は、基準電位に電気的に接続される。
【００１３】
好適には、前記光照射部と前記第１の光拡散部との間には、第２の光拡散部が配設される。
【発明の効果】
【００１８】
本発明によれば、筐体の強度が下がるのを抑制しつつ、筐体の外部に光を放射することができる携帯電子機器を提供することができる。
【発明を実施するための最良の形態】
【００１９】
以下、本発明の携帯電子機器の実施形態として、携帯端末について説明する。
本発明の実施形態の携帯端末は、折り畳み型の携帯電話機を想定している。
＜第１実施形態＞
図１は、第１実施形態の携帯端末１００の外観の一例を示した図である。
図１（ａ）は携帯端末１００の開いた状態（開状態）を、図１（ｂ）は携帯端末１００の閉じた状態（閉状態）を示している。
図１（ａ）及び（ｂ）に示すように、携帯端末１００は表示装置１０、表示装置１０及びスピーカ１１が設けられた第１筐体１０１（本発明の筐体に対応）と、操作部１２及びマイク１３が設けられた第２筐体１０２とを有する。
第１筐体１０１と第２筐体１０２とは、ヒンジ部１０３を介して連結・係合される。ヒンジ部１０３は第１筐体１０１と第２筐体１０２とを互いに回動可能にするヒンジ機構を内包している。ヒンジ部１０３により、第１筐体１０１及び第２筐体１０２は、図１（ａ）に示す携帯端末１００の開状態と図１（ｂ）に示す携帯端末１００の閉状態とを遷移可能である。
なお、第１筐体１０１は、外部に露出する面の少なくとも１部が発光する発光構造を内包する。
【００２０】
次に、第１筐体１０１の構成について説明する。
図２は、第１筐体１０１の分解斜視図である。図２においては、符号２１が付された側が携帯端末１００を閉状態にしたときに外側に露出される側であり、符号２９が付された側が携帯端末１００を閉状態にしたときに第２筐体１０２により外側から閉塞される側である。
【００２１】
図２に示すように、第１筐体１０１は、リアプレート２１と、両面テープ２２と、両面テープ２３と、導光板２４（本発明の第２の光拡散部に対応）と、リアケース２５と、板金部材２６（本発明の第１の光拡散部及び金属部材に対応）と、ＬＥＤ（Light Emitting Diode）２８（本発明の光照射部に対応）が実装されたフレキシブル基板２７と、フロントケース３０とが積層配設されて構成される。なお、第１筐体１０１内には、表示装置１０やスピーカ１１の動作を制御する電子部品等の各種構成が、リアケース２５とフロントケース３０との間に挟まれて（より詳細にはフレキシブル基板２７とフロントケース３０との間に）保持されているが、本第１実施形態では当該各種構成についての説明は省略する。
【００２２】
リアプレート２１は、例えば強化ガラスや樹脂製のプレートで形成されるプレート部材であり、両面テープ２２および両面テープ２３を介してリアケース２５に配設されることにより携帯端末１００の閉状態において外部に露出され、第１筐体１０１の主面部を構成する。なお、本第１実施形態においては、リアプレート２１は、端部領域２１１と中央領域２１２とを異なる領域に区分されて形成されている。
両面テープ２２は、第１筐体１０１の外部側の面がリアプレート２１の中央領域２１２に接着され、第１筐体１０１の内部側の面の面がリアケース２５の中央領域２５１に接着される両面接着部材である。なお、両面テープ２２の形状および大きさは、リアプレート２１の中央領域２１２の形状および大きさと略同一に形成されている。
【００２３】
両面テープ２３は、第１筐体１０１の外部側の面がリアプレート２１の端部領域２１１に接着され、第１筐体１０１の内部側の面が導光板２４に接着される両面接着部材である。なお、両面テープ２３の形状および大きさは、リアプレート２１の端部領域２１１の形状および大きさと略同一に形成されている。
【００２４】
導光板２４は、ほぼ透明な部材、光の拡散率の高い例えばポリカーボネイト等の樹脂により形成される光拡散部材であり、第１筐体１０１の外部側の面が、両面テープ２３に接着されることにより、リアケース２５に配設される。また、導光板２４は、第１筐体１０１の幅方向においてＬＥＤ２８と対向するようにリアケース２５に配設されるため、結果として導光板２４は、ＬＥＤ２８と後述する板金部材２６の間に配設されることとなる。なお、導光板２４の大きさは、リアプレート２１の端部領域２１１の大きさと略同一に形成されている。
【００２５】
リアケース２５は、樹脂等で形成されたケース体であり、フロントケース３０と周縁部において嵌合されて第１筐体１０１の外観を構成する。また、リアケース２５には、中央領域２５１と端部領域２５２とを区分けするように複数の開口部２５３が形成されて構成される。
板金部材２６は、リアケース２５の端部領域２５２上に配設された金属の板状部材である。板金部材２６は、例えば銅等、光の拡散率・反射率が高く、剛性が高い金属によって形成されることが望ましい。
【００２６】
リアケース２５及び板金部材２６の詳細についてさらに説明する。
図３は、リアケース２５及び板金部材２６について説明するための図である。
図３（ａ）は、リアケース２５を第１筐体１０１における外部側正面から見た正面図であり、図３（ｂ）は図３（ａ）における線Ａ−Ａ’でのリアケース２５の幅方向の断面図であり、図３（ｃ）は図３（ａ）に示した線Ｂ−Ｂ’での断面図である。
図３（ａ）に示すように、リアケース２５は、複数の開口部２５３（本発明の第１の開口部に対応）と、中央領域２５１と、端部領域２５２とを有する。そして、端部領域２５２には、板金部材２６が配設されている。
【００２７】
リアケース２５に複数開けられた開口部２５３は、ＬＥＤ２８が照射する光を通過させるための孔部である。開口部２５３は、ＬＥＤ２８と同数だけリアケース２５に設けられる。図３（ａ）に示すように、開口部２５３は、第１筐体１０１の外部側正面から見た場合、それぞれほぼ台形形状になるように形成されている。また、図３（ｂ）に示すように、開口部２５３は中央領域２５１と端部領域２５２との間に開けられている。
【００２８】
中央領域２５１は、リアケース２５の中央部付近を構成する部材であり、ＬＥＤ２８が照射する光を開口部２５３以外から漏れさせないように遮蔽するための光遮蔽部２５４として構成されている。中央領域２５１は、後述する端部領域２５２よりも一段高くなった段差構造を有している。図３（ｃ）に、図３（ａ）に示した線Ｂ−Ｂ’での断面図を示す。図３（ｃ）に示すように、リアケース２５は中央領域２５１と端部領域２５２とが結合して形成されている。
端部領域２５２は、図３（ａ）から（ｃ）に示すように、リアケース２５の周縁部（端部）を構成する部材である。図３（ｃ）に示すように、開口部２５３が存在しない位置では、中央領域２５１と端部領域２５２とが結合しているため、中央領域２５１により構成される光遮蔽部２５４は開口部２５３以外からＬＥＤ２８が照射する光を漏らさずに済む。
【００２９】
端部領域２５２には、板金部材２６が配設される。図３（ａ）に示すように、板金部材２６は端部領域２５２の第１筐体１０１における外部側において露出するように端部領域２５２に配設されている。なお、板金部材２６は、端部領域２５２の金型に入れて射出成型することで、端部領域２５２と一体に形成されていてもよい。
図３（ｂ）及び図３（ｃ）に示すように、板金部材２６は前記筐体の幅方向及び長さ方向に平行な第１面２６１と、第１筐体１０１の厚さ方向及び長さ方向に平行な第２面２６２と、を有してＬ字型に屈曲されて構成される。
また、板金部材２６は、図示はしないが、例えばフレキシブル基板２７等に形成された基準電位である図示しないグランドパターンと電気的に接続され、基準電位となるように構成される。これにより、リアケース２５・板金部材２６周辺の電気的・磁気的ノイズが好適に除去される。
【００３０】
フレキシブル基板２７は、図２に図示しない制御部の制御に応じて各種制御を行う回路基板である。本第１実施形態においては、フレキシブル基板２７は、第１筐体１０１の外部側の面にＬＥＤ２８が複数実装されており、各ＬＥＤ２８に制御部からの制御信号を伝達するための回路やグランドパターンが形成されて構成される。そして、フレキシブル基板２７は、複数のＬＥＤ２８が、リアケース２５に形成された複数の開口部２５３にそれぞれ対応するように、第１筐体１０１の内部に配設される。なお、図示しない制御部は、一部のＬＥＤ２８のみ発光することも、全てのＬＥＤ２８を同時に発光することもできるように構成されている。
ＬＥＤ２８は、例えば発光ダイオード等で構成される光源部である。
【００３１】
図４は、このように、フレキシブル基板２７に実装される複数のＬＥＤ２８が開口部２５３に対応するように配設された様子をリアケース２５における第１筐体１０１の外部側正面から眺めた図である。なお、ＬＥＤ２８は、リアケース２５の中央領域２５１の内面側に位置するため、リアケース２５における第１筐体１０１の外部側正面からリアケース２５を眺めた場合には視認できない。そこで、図４においては、ＬＥＤ２８を点線で囲んで示している。
【００３２】
図５は、第１筐体１０１の幅方向における、複数のＬＥＤ２８のうちの１つを通過する線に沿った断面図である。
図５に示すように、リアケース２５の端部領域２５２における第１筐体１０１の外部側の面には、導光板２４が配設される。
また、リアケース２５における第１筐体１０１の外部側の面には、両面テープ２２および両面テープ２３を介してリアプレート２１が配設される。すなわち、リアプレート２１において、中央領域２１２が、リアケース２５の中央領域２５１に接着されると共に、端部領域２１１が導光板２４における第１筐体１０１の外部側の面に接着された両面テープ２３に接着され、これによりリアケース２５における第１筐体１０１の外部側の面に配設される。
【００３３】
なお、リアプレート２１の中央領域２１２は、光の透過率の低い部材（例えば、光の透過率の低い黒色系の着色が施された部材）で形成されており、光遮断部２１４を構成する。また、そこに接着される両面テープ２２もまた光の透過率の低い部材（例えば、黒色系の着色が施された部材）で形成され、光遮蔽部２２１を構成する。一方、リアプレート２１の端部領域２１１は、光の透過率の高い部材（例えば、透明または半透明の部材）で形成されており、光透過部２１３を構成する。また、端部領域２１１に接着される両面テープ２３も光の透過率の高い部材（例えば、透明または半透明の部材）で形成され、光透過部２３１を構成する。
【００３４】
一方、フレキシブル基板２７は、リアケース２５の中央領域における第１筐体１０１の内部側の面に対向する対向部２７１と、リアケース２５に形成された開口部２５３まで延出された延出部２７２とが形成されるように、リアケース２５の内部側に配設される。また、この延出部２７２における第１筐体１０１の外部側の面には、ＬＥＤ２８が配設される。なお、ＬＥＤ２８は、光の照射面２８１が、実際に光が照射される第１筐体１０１の幅方向、すなわち、リアケース２５の中央領域２５１から端部領域２５２を向くように、フレキシブル基板２７の延出部２７２に実装される。
【００３５】
次に、図６を用いてＬＥＤ２８から照射された光が通る道筋について説明する。図６は、図５と同様、第１筐体１０１の幅方向における、複数のＬＥＤ２８のうちの１つを通過する線に沿った断面図である。
図６に示すように、ＬＥＤ２８の照射面２８１は、第１筐体１０１の幅方向（平面方向）を向くように、フレキシブル基板２７の延出部２７２に実装されるため、ＬＥＤ２８から照射された光は、ＬＥＤ２８の照射面２８１に対向する導光板２４に効率よく入射される。
そして、導光板２４に入射された光は、導光板２４に拡散されながら板金部材２６まで導かれる。板金部材２６は、光の拡散率・反射率の高い金属材料で形成されるため、導光板２４を介して板金部材２６に入射された光は、板金部材２６によりリアプレート２１の光透過部２１３方向に拡散・反射されて、再度導光板２４に入射される。また、板金部材２６には、ＬＥＤ２８の照射面２８１に対して略垂直に形成され、かつ第１筐体１０１の幅方向及び長さ方向に平行な第１面２６１と、ＬＥＤ２８の照射面２８１に対して略平行に形成され、かつ第１筐体１０１の厚さ方向及び長さ方向に平行な第２面２６２とが形成されるため、第１面２６１が第１筐体１０１の内部方向への光を、そして第２面２６２が第１筐体１０１の端部方向への光を漏れなく拡散し、板金部材２６に入射された光は効率よく導光板２４に再度入射される。
そして、再度導光板２４に入射された光は、第１筐体１０１の外部側に導かれ、その結果、両面テープ２３の光透過部２３１に入射される。光透過部２３１は上述したように光の透過率の高い材料で形成されるため、入射された光はほとんど遮断されることなく、リアプレート２１の光透過部２１３に入射される。そして、リアプレート２１の光透過部２１３も、両面テープ２３の光透過部２３１と同様、光の透過率の高い部材で形成されるため、光透過部２１３に入射された光は、ほとんど遮断されることなく、第１筐体１０１の外部へと放射される。なお、板金部材２６に入射された光には、第２面２６２により照射方向と反対方向に反射されるものも含まれるが、この反射光も第１面２６１により第１筐体１０１の外部側へと導かれるため、ＬＥＤ２８から照射された光は、好適に第１筐体１０１の外部に導かれる。
【００３６】
一方、ＬＥＤ２８の照射面２８１から照射された光には、導光板２４に入射されるものの他、導光板２４を経由せず、直接第１筐体１０１の外部側に向けて照射されるもの、或いは、第１筐体１０１の内部側に向けて照射されるものも含まれる。
しかし、ＬＥＤ２８から直接第１筐体１０１の外部側に向けて照射される光は、光の透過率の低い部材で形成された両面テープ２２およびリアプレート２１の中央領域２１２に入射されることとなるため、光遮蔽部２２１および中央領域２１２によりそのほとんどが遮断される。
以上をまとめると、ＬＥＤ２８から照射された光は、主として矢印Ｃに示すように、導光板２４、板金部材２６、導光板２４、両面テープ２３、リアプレート２１の光透過部２１３を経由する道筋で第１筐体１０１の外部に効率的に放射されることとなる。
【００３７】
次に、ＬＥＤ２８から照射された光が第１筐体１０１の外部からどのように視認されるかについて説明する。
図７は、ＬＥＤ２８から照射されて第１筐体１０１の外部に放射された光が、外部からどのように視認されるかを示した図であり、図７（ａ）は、リアプレート２１が取り外された状態で単一のＬＥＤ２８から光が照射されたときの様子をリアケース２５の外部側正面から眺めた図であり、図７（ｂ）は、リアプレート２１が取り付けられた状態で単一のＬＥＤ２８から光が照射されたときの様子をリアケース２５の外部側正面から眺めた図であり、図７（ｃ）は、リアプレート２１が取り付けられた状態で複数のＬＥＤ２８から同時に光が照射されたときの様子をリアケース２５の外部側正面から眺めた図である。
【００３８】
図７（ａ）に示すように、フレキシブル基板２７の制御部の制御により、リアケース２５の開口部２５３は、ＬＥＤ２８を中心としてほぼ放射状に形成されているため、例えば、図７（ａ）に示すＬＥＤ２８ａから照射されて導光板２４及び板金部材２６により放射状に拡散された光は、導光板２４及び板金部材２６により放射状に拡散され、結果として図７（ａ）の範囲Ｄ（斜線部）に示す部位がリアケース２５の外部側正面からは光っているように見える。
そして、図７（ｂ）に示すように、この光は、リアプレート２１が取り付けられた場合には、範囲Ｅ（斜線部）に示す部位がリアケース２５の外部側正面からは光っているように見える。
一方、図７（ｃ）に示すように、フレキシブル基板２７の制御部の制御により、複数のＬＥＤ２８から同時に光が照射された場合には、各ＬＥＤ２８から照射された光が互いに連続しあうため、結果として範囲Ｆ（斜線部）、すなわち、光透過部２１３のほぼ全域がリアケース２５の外部側正面からは光っているように見える。
【００３９】
以上説明したように、本第１実施形態の携帯端末１００によれば、ＬＥＤ２８から照射された光を外部に放出するための開口部２５３が形成されたリアケース２５において、その端部領域２５２に剛性が高い金属部材である板金部材２６が形成されているため、複数のＬＥＤ２８と同数だけ開口部２５３が開けられているにもかかわらず、リアケース２５の剛性を向上させることができる。
また、本第１実施形態の携帯端末１００によれば、板金部材２６は端部領域２５２の第１筐体１０１の外部側へ露出しており、光の反射率・拡散率が高い金属部材で構成された板金部材２６により、ＬＥＤ２８から照射された光が導光板２４を介して効率よく反射・拡散されるため、板金部材２６により反射・拡散された光が再度導光板２４に入射されて拡散され、光透過部２３１及び光透過部２１３を透過して第１筐体１０１の外部へと高輝度の光を放出させることができる。
また、本第１実施形態の携帯端末１００によれば、板金部材２６は前記筐体の幅方向及び長さ方向に平行な第１面２６１と、第１筐体１０１の厚さ方向及び長さ方向に平行な第２面２６２とを有してＬ字型に構成されるため、ＬＥＤ２８から照射された光を第１筐体１０１の内部方向及び端部方向に対して漏らさず反射・拡散することができる。
また、金属部材は一般的に屈曲された方が強度が向上するため、板金部材２６がＬ字型に屈曲されることで板金部材２６の強度がさらに向上し、これに伴いリアケース２５の剛性もさらに向上する。
また、本第１実施形態の携帯端末１００によれば、板金部材２６は基準電位であるグランド部と電気的に接続され、基準電位となるように構成されるので、ノイズが進入しやすい開口部２５３周辺の電気的・磁気的ノイズを除去することができる。
【００４０】
＜第２実施形態＞
本第２実施形態では、第１実施形態において説明した携帯端末１００を改良した、複数箇所を発光させることが可能な携帯端末１００ａについて説明する。
【００４１】
本第２実施形態の携帯端末１００ａは、第１実施形態において説明した携帯端末１００と共通の構成を複数有する。したがって、以下における第２実施形態の携帯端末１００ａについての説明では、第１実施形態と同様の構成については、同じ番号を付して説明を省略する。
【００４２】
第２実施形態の携帯端末１００ａは、第１筐体１０１ａと第２筐体１０２を有する。
図８は、第２実施形態の第１筐体１０１ａの構成の一例を示す分解斜視図である。
図８に示すように、第１筐体１０１ａは、リアプレート２１と、両面テープ２２と、両面テープ２３と、導光板２４（本発明の第２の拡散部材に対応）と、リアケース２５ａ（本発明の第１のケース部材に対応）と、板金部材２６ａ（本発明の第１の拡散部材に対応）と、ＬＥＤ（Light Emitting Diode）２８（本発明の光照射部に対応）が実装されたフレキシブル基板２７と、回路基板２９と、フロントケース３０ａ（本発明の第２のケース部材に対応）と、液晶モジュール３１と、液晶保護プレート３２とが積層配設されて構成される。
上述した各構成において、符号にａが付されていないものに関しては、第１実施形態における同一符号の構成と同様であるため、本実施形態では説明を省略する。
【００４３】
リアケース２５ａは、樹脂等で形成されたケース体であり、フロントケース３０ａと周縁部において嵌合されて第１筐体１０１ａの外観を構成する。
板金部材２６ａは、後述するリアケース２５ａの端部領域２５２ａ上に配設された金属の板状部材である。板金部材２６は、例えば銅等、光の拡散率・反射率が高く、剛性が高い金属によって形成されることが望ましい。
【００４４】
リアケース２５ａ及び板金部材２６ａの詳細についてさらに説明する。
図９は、本第２実施形態における、リアケース２５ａ及び板金部材２６ａについて説明するための図である。
図９（ａ）は、リアケース２５ａを第１筐体１０１における外部側正面から見た正面図であり、図９（ｂ）は図９（ａ）における線α−α’でのリアケース２５ａの幅方向の断面図である。
図９（ａ）に示すように、リアケース２５ａは、中央領域２５１ａ、端部領域２５２ａ、中央領域２５１ａと端部領域２５２ａとの間に開けられた複数の開口部２５３ａ（本発明の第１の開口部に対応）、端部領域２５２ａに開けられた複数の開口部２５５ａを有する。
【００４５】
中央領域２５１ａは、リアケース２５ａの中央部付近を構成する部材であり、ＬＥＤ２８が照射する光を開口部２５３ａ及び２５４ａ以外から第１筐体１０１ａの外部に漏れさせないように遮蔽するための光遮蔽部材として構成されている。中央領域２５１ａは、後述する端部領域２５２ａよりも一段高く構成されている。図９（ｃ）に、図９（ａ）に示した線β−β’（開口部２５３ａが開けられていない位置）での断面図を示す。図９（ｃ）に示すように、リアケース２５ａは開口部２５３ａが開けられていない位置では中央領域２５１ａと端部領域２５２ａとが結合して形成されている。
【００４６】
端部領域２５２ａは、図９（ａ）から（ｃ）に示すように、リアケース２５ａの周縁部（端部）を構成する部材である。図９（ｃ）に示すように、開口部２５３ａが存在しない位置では、中央領域２５１ａと端部領域２５２ａとが結合しているため、リアケース２５ａは、開口部２５３ａ以外からＬＥＤ２８が照射する光を漏らさずに済む。
端部領域２５２ａは、図９（ｂ）及び（ｃ）に示すように、開口部２５５ａを有する。開口部２５５ａは、ＬＥＤ２８が照射した光を第１筐体１０１ａの内部側、フロントケース３０ａの方に通すための孔部である。
【００４７】
中央領域２５１ａと端部領域２５２ａとの間に複数開けられた開口部２５３ａは、ＬＥＤ２８が照射する光を通過させるための孔部である。開口部２５３ａは、ＬＥＤ２８と同数だけリアケース２５ａに設けられる。図９（ａ）に示すように、開口部２５３ａは、第１筐体１０１ａの外部側正面から見た場合、それぞれほぼ台形形状になるように形成されている。また、図９（ｂ）に示すように、開口部２５３ａは中央領域２５１ａと端部領域２５２ａとの間に開けられている。
【００４８】
また、端部領域２５２ａの開口部２５５ａ付近には、板金部材２６ａが配設される。
図１０に板金部材の形状の一例を示す。
図１０（ａ）は、１つの開口部２５５ａ付近の板金部材２６ａを示した斜視図である。
図１０（ａ）に示すように、板金部材２６ａは筐体の幅方向及び長さ方向に平行な第１面２６１ａと、第１面２６１ａに対して所定の角度をもって筐体の厚さ方向に折り曲げられた第２面２６２ａとを有してほぼＬ字型に形成される。
また、図１０（ａ）に示すように、板金部材２６ａは、開口部２５５ａに対応する位置に切り起こした切り起こし部２６３ａを有する。切り起こし部２６３ａは、板金部材２６ａの第１面２６１ａの開口部２５５ａに対応する位置を開口部２５５ａよりも一回り大きく切り起こした部位であり、その開口部２５５ａ側の面（図１０（ａ）において見えている面）は高い光の反射率を有するように構成されている。
【００４９】
図１０（ｂ）は、板金部材２６ａを第１筐体１０１ａの厚さ方向から見た、開口部２５５ａに対応した位置での断面図である。
図１０（ｂ）に示すように、切り起こし部２６３ａは、開口部２５５ａに覆い被さるように構成されている。
【００５０】
ここで、板金部材２６ａは、端部領域２５２ａの金型に入れて射出成型することで、端部領域２５２ａと一体に形成されていてもよい。
【００５１】
回路基板２９は、第１筐体１０１ａの各機能を実現するための電子部品類を実装した回路基板である。
回路基板２９には、リアケース２５ａの端部領域２５２ａに開けられた開口部２５５ａに対応した位置に、開口部２９１ａが開けられている。そして、開口部２９１ａの周囲には図示しないグランドパターン（金パターン等）が形成されており、上述した板金部材２６ａは図示しない導電部材等によりこのグランドパターンに当接している。これにより、板金部材２６ａが基準電位となることが達成される。
【００５２】
フロントケース３０ａは、樹脂等で形成されたケース体であり、リアケース２５ａと周縁部において嵌合されて第１筐体１０１ａの外観を構成する。
フロントケース３０ａには、開口部２５５ａに対応する位置に開口部３０１ａ（本発明の第２の開口部に対応）が開けられている。
【００５３】
液晶モジュール３１は、携帯端末１００ａの表示デバイスである液晶ディスプレイを構成及び稼動させるためのモジュールである。液晶モジュール３１は、例えば回路基板２９と電気的に接続されており、回路基板２９に実装された図示しない表示制御部の制御等に従って表示を行う。
液晶保護プレート３２は、液晶モジュール３１を外部から保護するためのプレート部材であり、樹脂等により形成されている。液晶保護プレート３２は、液晶モジュール３１に表示された表示内容を透過して外部より見える状態とする必要があるため、透過率が非常に高い物質で形成される。
【００５４】
本第２実施形態の携帯端末１００ａにおいては、第１筐体１０１ａ内に配設されたＬＥＤ２８から照射された光が、上述した各構成を介して外部に放射される。以下、ＬＥＤ２８から照射された光が外部に放射される様子について説明する。
【００５５】
図１１は、第１筐体１０１の幅方向における、複数のＬＥＤ２８のうちの１つを通過する線に沿った断面図である。
図１１に示すように、ＬＥＤ２８は、光の照射面２８１を有し、照射面２８１が、実際に光が照射される第１筐体１０１の幅方向、すなわち、リアケース２５ａの中央領域２５１ａから端部領域２５２ａを向くように、フレキシブル基板２７上に実装される。
そして、ＬＥＤ２８から照射された光は、まずリアケース２５ａの端部領域２５２ａにおける第１筐体１０１の外部側の面に配設された導光板２４に入射する。
導光板２４は、図１１の矢印Ｇに示すように、ＬＥＤ２８から入射した光を板金部材２６ａに導く。
導光板２４の図１１における下側の面（第１筐体１０１における内側の面）は、ＬＥＤ２８から開口部２５５ａ及び板金部材２６ａにかけて傾斜した傾斜面を有しており、これによりＬＥＤ２８から照射され導光板２４に入射された光が効率よく板金部材２６ａに導かれることになる。
導光板２４により導かれた光は、板金部材２６ａの切り起こし部２６３ａに到達する。上述したように、切り起こし部２６３ａの開口部２５５ａ側の面は、反射率が高くなるように構成されているため、切り起こし部２６３ａは到達した光を第１筐体１０１ａの内部方向へと反射する（図１１に示す矢印Ｈ）。
【００５６】
切り起こし部２６３ａにより反射された光は、リアケース２５ａの開口部２５５ａ、回路基板２９の開口部２９１、フロントケース３０ａの開口部３０１ａを通って、図１１に示すように、液晶保護プレート３２にまで到達する。液晶保護プレート３２は、上述したように透過率が高い物質で構成されているため、ＬＥＤ２８から照射された光は、第１筐体１０１ａのフロントケース３０ａ側の面（液晶側の面）から放射されることになる。
【００５７】
第１筐体１０１ａのフロントケース３０側の面における発光の様子を図１２に示す。
図１２は、第１筐体１０１ａのフロントケース３０ａ側の外部から見た場合の発光の様子を示す図である。
図１２（ａ）は、フロントケース３０ａに開けられた開口部３０１ａの位置の具体例を示す図である。図１２に示すように、開口部３０１ａはフロントケース３０ａの液晶モジュール３１を囲む部位に形成されている。
従って、１つのＬＥＤ２８から照射された光が、開口部３０１ａを通して放射されると、図１２（ｂ）に示すように、液晶保護プレート３２における液晶周囲の一部Ｉが光っているように見える。
ここで、開口部３０１ａは、複数のＬＥＤ２８と同数だけ開けられており、それぞれの開口部３０１ａがそれぞれのＬＥＤ２８の発する光を通して放射させるように構成されている。従って、全てのＬＥＤ２８から光が照射された場合には、図１２（ｃ）に示すように、範囲Ｊ、すなわち液晶の周囲のほぼ全体が光っているように見えることになる。
【００５８】
なお、ＬＥＤ２８から照射された光は、そのすべてが板金部材２６ａの切り起こし部２６３ａにより反射され、第１筐体１０１のフロントケース３０ａ側の面から放射されるわけではない。
ＬＥＤ２８は指向性の高い光線を照射する光源ではなく、また、導光板２４によりＬＥＤ２８から照射された光が適度に拡散されるため、ＬＥＤ２８からの光の一部は上述したように切り起こし部２６３ａにより反射され第１筐体１０１ａのフロントケース３０ａ側の面から放射されるが、残りの殆どは板金部材２６ａの第２面２６２ａによりリアプレート２１の方向（第１筐体１０１ａのリアケース２５ａ側の面）へと反射され、リアプレート２１の端部領域２１１から外部へと放射される。
【００５９】
図１３は、ＬＥＤ２８から照射された光が板金部材２６ａの第２面２６２ａに反射されてリアプレート２１から放射される様子を説明するための図である。
ＬＥＤ２８から照射された光は、図１３に示す矢印Ｋのように、導光板２４に導かれ、板金部材２６ａの第２面２６２ａに入射する。板金部材２６ａの第２面２６２ａは、上述したように反射率が高くなるように構成されているため、第２面２６２ａに入射した光は図１３に示す矢印Ｌのように反射されてリアプレート２１の端部領域２１１に入射する。リアプレート２１の端部領域２１１は透過率が高くなるように構成されているため、ＬＥＤ２８から照射された光が第１筐体１０１ａのリアケース２５ａ側の面からも放射されることになる。
【００６０】
図１４は、ＬＥＤ２８から照射されて第１筐体１０１ａの外部に放射された光が、リアプレート２１側の外部からどのように視認されるかを示した図であり、図１４（ａ）は、リアプレート２１が取り外された状態で単一のＬＥＤ２８から光が照射されたときの様子をリアケース２５ａの外部側正面から見た図であり、図１４（ｂ）は、リアプレート２１が取り付けられた状態で単一のＬＥＤ２８から光が照射されたときの様子をリアケース２５ａの外部側正面から眺めた図であり、図１４（ｃ）は、リアプレート２１が取り付けられた状態で複数のＬＥＤ２８から同時に光が照射されたときの様子をリアケース２５ａの外部側正面から眺めた図である。
【００６１】
図１４（ａ）に示すように、回路基板２９の制御部の制御により、リアケース２５ａの開口部２５３ａは、ＬＥＤ２８を中心としてほぼ放射状に形成されているため、例えば、図１４（ａ）に示すＬＥＤ２８から照射されて導光板２４及び板金部材２６ａにより拡散された光は、結果として図１４（ａ）の範囲Ｍ（斜線部）に示す部位がリアケース２５ａの外部側正面からは光っているように見える。
そして、図１４（ｂ）に示すように、この光は、リアプレート２１が取り付けられた場合には、範囲Ｎ（斜線部）に示す部位がリアケース２５ａの外部側正面からは光っているように見える。
一方、図１４（ｃ）に示すように、回路基板２９の制御部の制御により、複数のＬＥＤ２８から同時に光が照射された場合には、各ＬＥＤ２８から照射された光が互いに連続しあうため、結果として範囲Ｏ（斜線部）、すなわち、リアケース２５ａの外部側正面から見た場合、リアプレート２１の端部領域２１１のほぼ全域が光っているように見える。
【００６２】
なお、リアプレート２１の中央領域２１２は、上述したように、光の透過率の低い部材（例えば、光の透過率の低い黒色系の着色が施された部材）で形成されており、ＬＥＤ２８からの光を遮断する。また、そこに接着される両面テープ２２もまた光の透過率の低い部材（例えば、黒色系の着色が施された部材）で形成され、ＬＥＤ２８からの光を遮断する。一方、リアプレート２１の端部領域２１１に接着される両面テープ２３も光の透過率の高い部材（例えば、透明または半透明の部材）で形成され、光を透過する。
【００６３】
なお、ＬＥＤ２８の照射面２８１から照射される光には、導光板２４に入射されるものの他、導光板２４を経由せず、直接第１筐体１０１の外部側に向けて照射されるもの、或いは、第１筐体１０１の内部側に向けて照射されるものも含まれる。
しかし、ＬＥＤ２８から直接第１筐体１０１ａの外部側に向けて照射される光は、光の透過率の低い部材で形成された両面テープ２２およびリアプレート２１の中央領域２１２に入射されることとなるため、そのほとんどが遮断される。
また、ＬＥＤ２８から第１筐体１０１ａの内部側に向けて照射される光は、フレキシブル基板２７や回路基板２９により遮断され、第１筐体１０１ａの液晶側の面まで侵出することは無い。
【００６４】
以上をまとめると、ＬＥＤ２８から照射された光は、矢印Ｈに示すように、リアプレート２１の端部領域に反射されて第１筐体１０１のフロントケース３０ａ側の面から放射されるものと、矢印Ｌに示すように、板金部材２６ａにより反射されて第１筐体１０１のリアケース２５ａ側の面から外部に効率的に放射されるものとを含むように本第２実施形態の携帯端末１００ａは構成される。
【００６５】
なお、図１１及び図１３に示すように、フロントケース３０ａは板金部材３０２ａを有する。板金部材３０２ａは、導電性を有する金属の板で構成される部材であり、フロントケース３０ａ、ひいては第１筐体１０１ａの強度を向上させる役割を果たす。
また、板金部材３０２ａは、図１１に示すように、フロントケース３０ａの開口部３０１ａに合わせて開口部３０３ａを有する。さらに、開口部３０１ａの強度向上及び、第１筐体１０１ａの厚さ方向の更なる強度向上のために、開口部３０３ａから垂直に伸びる延出部３０４ａを有する。延出部３０４ａも、板金部材３０２ａと同様の部材からなる。
板金部材３０２ａは、開口部３０３ａ付近において、回路基板２９のグランドパターンと当接し、基準電位となるように構成されている。これにより、液晶モジュール３１や外部からの電気的・磁気的な影響から回路基板２９を保護し、静電対策とすることができる。
【００６６】
さらに、図１１及び図１３に示すように、開口部３０１ａの端部側側面に沿って、導電性を有する静電対策部材３０５ａが配設されていてもよい。静電対策部材３０５ａは、例えば金属板や金属箔等の導電性を有する部材であり、開口部３０１ａの端部側側面をフロントケース３０ａの開口部３０１ａからフロントケース３０ａと液晶保護プレート３２の合わせ目まで覆うように配設される。これにより、フロントケース３０ａ側からの第１筐体１０１ａの静電対策が一層強固なものとなる。
【００６７】
また、図１１及び図１３に示すように、導光板２４は、板金部材２６ａの切り起こし部２６３ａと第１面２６１ａとによって挟まれる（当接される）ようにして保持される。これにより、導光板２４が確実に保持されるとともに、強度が向上する。
【００６８】
以上説明したように、本第２実施形態の携帯端末１００ａによれば、ＬＥＤ２８から照射された光は、導光板２４を介してリアケース２５に開けられた開口部２５３に配設された板金部材２６に到達し、そのうち一部が切り起こし部２６３ａにより反射されてフロントケース３０ａの方向へと向かう。そして、回路基板２９に開けられた開口部２９１に開けられた開口部２９１、及びフロントケース３０ａに開けられた開口部３０１ａから第１筐体１０１ａのフロントケース３０ａ側の面（液晶側の面）から外部へと放射される。同時に、板金部材２６ａに到達した光は、第１筐体１０１ａの幅方向に平行に配設された第１面に対して所定の角度をもって折れ曲がって構成された第２面２６２ａによりリアプレート２１の方向へと反射され、リアプレート２１の端部領域２１１から外部へと放射される。
従って、本実施形態の携帯端末１００ａでは、リアケース側の面のリアプレート２１の端部領域２１１と、フロントケース側の液晶の周囲の領域との両方を、同じＬＥＤ２８により光らせることができる。このため、部品点数を増やさず、第１筐体１０１ａの厚さも増大させずに、第１筐体１０１ａの２面を光らせることができる構成を得ることができる。また、板金部材２６ａは光の反射率・拡散率が高い金属部材で構成されているため、ＬＥＤ２８が照射する光を効率よく反射させることができる。
【００６９】
また、本実施形態の携帯端末１００ａによれば、リアケース２５ａの端部領域２５２ａにおいて、剛性が高い金属部材である板金部材２６ａがリアケース２５ａの端部領域２５２ａに配設されているため、リアケース２５ａには複数のＬＥＤ２８と同数だけ開口部２５３ａが開けられているにもかかわらず、板金部材２６ａにより第１筐体１０１ａが補強される。金属部材は一般的に屈曲された方が強度が向上するため、板金部材２６ａが第１筐体１０１ａの幅方向に平行な第１面２６１ａとこれに対して所定の角度で折り曲げられた第２面２６２ａとを有することにより、板金部材２６ａの強度がさらに向上し、これに伴い第１筐体１０１ａの剛性もさらに向上する。
また、本実施形態の携帯端末１００ａによれば、板金部材２６ａは基準電位である回路基板２９のグランドパターンと電気的に接続され、基準電位となるように構成されるので、ノイズが進入しやすい開口部２５３ａ周辺の電気的・磁気的ノイズを除去することができる。
【００７０】
また、本実施形態の携帯端末１００によれば、フロントケース３０ａは板金部材３０２ａを内包している。板金部材２６ａの切り起こし部２６３ａにより反射された光をフロントケース３０ａ側の面に通すためのフロントケース３０ａの開口部３０１ａに対応する位置に板金部材３０２ａも開口部３０３ａを有するので、板金部材３０２ａは、光を遮ることなく第１筐体１０１ａの強度を向上させることができる。
【００７１】
また、本実施形態の携帯端末１００によれば、板金部材２６は、回路基板２９に設けられたグランドパターンに当接しており、基準電位となっている。また、板金部材３０２ａは、静電対策部材３０５ａにより回路基板２９に設けられたグランドパターンに当接しており、基準電位となっている。このため、第１筐体１０１内を外部から電気的・磁気的に保護することが可能になる。
【００７２】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
例えば、上述した第１実施形態においては、板金部材２６の第１面２６１がＬＥＤ２８の照射面２８１に対して略垂直に形成され、第２面２６２がＬＥＤ２８の照射面に対して略平行に形成されていたが、本発明はこれには限定されず、第１面２６１または第２面２６２に開口部２５３側に向けて傾斜する傾斜部が形成されていてもよい。これにより、ＬＥＤ２８から照射された光が導光板２４を経由して第１面２６１または第２面２６２に入射される光量が増え、ＬＥＤ２８から照射された光（特に第１筐体１０１の内部側に照射された光）を効率よく反射・拡散することができる。
また、第２面２６２に反射されて第１面２６１に入射される光量を調整するために、第１面２６１と第２面２６２との間の角度を適宜調節してもよい。これにより、板金部材２６の拡散・反射むらを好適に抑制することができる。
また、上述した実施形態における板金部材２６は板金状の金属部材により構成されていたが、本発明はこれには限定されず、その他の形状で構成されていてもよい。
上述した実施形態においては、携帯端末１００は折り畳み型の携帯電話機であるとしたが、本発明はこれには限定されない。発光構造を有する電子機器類であれば、折り畳み型以外の携帯電話機、ＰＤＡ（Personal Digital Assistant）等の電子機器であってもよい。
【００７３】
また、上述した第２実施形態では、図５に示すように、リアケース２５ａの開口部２５３ａ（本発明の第１の開口部）と、フロントケース３０ａの開口部３０１ａ（本発明の第２の開口部）が、第１筐体１０１ａの厚さ方向において対応する位置に配設されているが、本発明はこれには限定されない。すなわち、本発明では第１の開口部と第２の開口部の位置関係については特に限定しない。したがって、例えば、第２の開口部が第１筐体１０１の側面部に開けられた開口部であり、第１筐体１０１ａの側面とリアプレート２６ａ側の面とがＬＥＤ２８から照射される光により光るような構成としてもよい。この場合、板金部材２６ａの切り起こし部２６３ａの切り起こし角度を変化させるか、或いは、新たに反射用の金属部材を設けることにより、第１の開口部或いは第２の開口部以外の開口部へと光を反射させるようにすればよい。
【図面の簡単な説明】
【００７４】
【図１】図１は、携帯端末の外観の一例を示した図である。
【図２】図２は、第１実施形態の第１筐体の発光構造の分解斜視図である。
【図３】図３は、第１実施形態における、リアケース及び板金部材について説明するための図である。
【図４】図４は、第１実施形態において、フレキシブル基板に実装される複数のＬＥＤが開口部に対応するように配設された様子をリアケースにおける第１筐体の外部側正面から眺めた図である。
【図５】図５は、第１実施形態の第１筐体の幅方向における、複数のＬＥＤのうちの１つを通過する線に沿った断面図である。
【図６】図６は、第１実施形態において、ＬＥＤ２８から照射された光が通る道筋について説明するための図である。
【図７】図７は、第１実施形態において、ＬＥＤ２８から照射されて第１筐体１０１の外部に放射された光が、外部からどのように視認されるかを示した図である。
【図８】図８は、第２実施形態の第１筐体の構成の一例を示す分解斜視図である。
【図９】図９は、第２実施形態における、リアケース２５ａ及び板金部材２６ａについて説明するための図である。
【図１０】図１０は、第２実施形態における板金部材の形状の一例を示す図である。
【図１１】図１１は、第２実施形態において、第１筐体の幅方向における、複数のＬＥＤ２８のうちの１つを通過する線に沿った断面図である。
【図１２】図１２は、第２実施懈怠において、第１筐体のフロントケース側の外部から見た場合の発光の様子を示す図である。
【図１３】図１３は、第２実施形態において、ＬＥＤから照射された光が板金部材の第２面に反射されてリアプレートから放射される様子を説明するための図である。
【図１４】図１４は、第２実施形態において、ＬＥＤから照射されて第１筐体の外部に放射された光が、リアプレート側の外部からどのように視認されるかを示した図である。
【符号の説明】
【００７５】
１００，１００ａ…携帯端末、１０１，１００ａ…第１筐体、１０２…第２筐体、１０３…ヒンジ部、１０…表示装置、１１…スピーカ、１２…操作部、１３…マイク、２１…リアプレート、２１１…端部領域、２１２…中央領域、２１３…光透過部、２１４…光遮断部、２２…両面テープ、２２１…光遮蔽部、２３…両面テープ、２３１…光透過部、２４…導光板、２５，２５ａ…リアケース、２５１，２５１ａ…中央領域、２５２，２５２ａ…端部領域、２５３，２５３ａ…開口部、２５４…光遮蔽部、２５５ａ…開口部、２６，２６ａ…板金部材、２６１，２６１ａ…第１面、２６２，２６２ａ…第２面、２６３ａ…切り起こし部、２７…フレキシブル基板、２７１…対向部、２７２…延出部、２８…ＬＥＤ、２８１…照射面、２９…回路基板、２９１…開口部、２９１ａ…開口部、３０，３０ａ…フロントケース、３０１ａ…開口部、３０２ａ…板金部材、３０３ａ…開口部、３０４ａ…延出部、３０５ａ…静電対策部材、３１…液晶モジュール、３２…液晶保護プレート
【図１】
0005110584.tif 000002
【図２】
0005110584.tif 000003
【図３】
0005110584.tif 000004
【図４】
0005110584.tif 000005
【図５】
0005110584.tif 000006
【図６】
0005110584.tif 000007
【図７】
0005110584.tif 000008
【図８】
0005110584.tif 000009
【図９】
0005110584.tif 000010
【図１０】
0005110584.tif 000011
【図１１】
0005110584.tif 000012
【図１２】
0005110584.tif 000013
【図１３】
0005110584.tif 000014
【図１４】
0005110584.tif 000015